(57)【要約】      （修正有）【課題】カラス等の鳥獣によるゴミ荒らしの防止効果を保ちつつ、ゴミ出しおよびゴミ回収の動作の容易化や、設置や持ち運びの容易化を実現するゴミ集積用具を提供する。【解決手段】複数の脚材２１、２２ａ、２２ｂが連結されてなり自立可能な支持部２０と、複数箇所が前記複数の脚材に直接あるいは間接的に連結されて全体が空中に支持される網３０と、を備える。前記支持部２０は、脚材間の連結箇所の少なくとも一部において脚材を回転可能に連結することにより、開状態と閉状態との間で変形可能とする。【選択図】図１
0003177654.tif 000002
【実用新案登録請求の範囲】
【請求項１】
複数の脚材が連結されてなり自立可能な支持部と、
複数箇所が前記複数の脚材に直接あるいは間接的に連結されて全体が空中に支持される網と、
を備えることを特徴とするゴミ集積用具。
【請求項２】
前記支持部は、脚材間の連結箇所の少なくとも一部において脚材を回転可能に連結することにより、開状態と閉状態との間で変形可能であることを特徴とする請求項１に記載のゴミ集積用具。
【請求項３】
前記網の縁で区画される領域の面積は、前記開状態となった支持部の開口面積よりも大きいことを特徴とする請求項２に記載のゴミ集積用具。
【請求項４】
前記複数の脚材の少なくとも一部は、伸縮可能であることを特徴とする請求項１〜請求項３のいずれかに記載のゴミ集積用具。
【請求項５】
前記複数の脚材の少なくとも一部は、下端部にキャスタを備えることを特徴とする請求項１〜請求項４のいずれかに記載のゴミ集積用具。
【考案の詳細な説明】
【技術分野】
【０００１】
本考案は、ゴミ集積用具に関する。
【背景技術】
【０００２】
従来より、家庭や事業所から出されたゴミ（正確には、ゴミが入れられたゴミ袋。以下同じ意味。）を一時的に集積する場所（ゴミの集積所）において、カラス等の鳥獣によってゴミが荒らされることが問題となっている。このような鳥獣によるゴミ荒らしへの対策として、集積所に出されたゴミを網で囲う或いは覆う等の対策が一般的に採られている。
【０００３】
また、折畳み可能な骨枠と、当該骨枠に支えられて当該骨枠全体を覆うことにより収納用空間を形成するネット製収納部とからなるゴミステーションが知られている（特許文献１参照。）。
【先行技術文献】
【特許文献】
【０００４】
【特許文献１】特開２０１０‐１２０７３９号公報
【考案の概要】
【考案が解決しようとする課題】
【０００５】
上述した従来の構成では、ゴミを集積所に出す者は、網をめくり、ゴミを置き、置いたゴミを網で囲う或いは覆う、といった多くの動作を必要としていたため、非常に面倒であった。また、集積所に集められたゴミを回収する業者も、ゴミを囲う網をめくらなければゴミを回収することができず、面倒であった。さらに、集積所に置かれるゴミステーション等は、ゴミが出される曜日や時間帯において限定的に必要となるものであるため、持ち運びや設置ができるだけ容易であることが求められている。
すなわち、カラス等の鳥獣によるゴミ荒らしを防止しつつ、ゴミ出しおよびゴミ回収の動作を容易化したり、用いる道具や設備に関し持ち運びや設置を容易化することが求められていた。
【０００６】
本考案は、上記課題の少なくとも一つを解決するためになされたものであり、カラス等の鳥獣によるゴミ荒らしを防止し、ゴミの集積および回収の動作を容易とし、持ち運びや設置も容易化するゴミ集積用具を提供する。
【課題を解決するための手段】
【０００７】
本考案の態様の一つは、複数の脚材が連結されてなり自立可能な支持部と、複数箇所が前記複数の脚材に直接あるいは間接的に連結されて全体が空中に支持される網と、を備えるゴミ集積用具である。
当該構成によれば、ゴミ出し作業は、支持部によって空中に支持された網の上にゴミを置くだけであるため極めて容易である。また、回収作業も、網の上に置かれたゴミを回収するだけであるため極めて容易である。また、ゴミは空中に支持された網の上に置かれているため、カラス等の鳥獣は、設置面からは網が邪魔となってゴミを荒らすことができない。また、空中に支持された網の上という不安定な状態に置かれたゴミに対しては、カラス等は足場が不安定であるために漁ることを諦める傾向にある。従って、上記ゴミ荒らしが防止される。また、支持部と網という非常にシンプルな構成であるため、当該用具の持ち運びや設置も容易である。
【図面の簡単な説明】
【０００８】
【図１】一例にかかるゴミ集積用具を開状態とした場合の斜視図である。
【図２】一例にかかるゴミ集積用具を閉状態とした場合の斜視図である。
【図３】主脚材の一部を例示する図である。
【図４】主脚材の下端部を例示する図である。
【図５】網と主脚材との連結態様の一例を示す図である。
【図６】変形例にかかるゴミ集積用具を開状態とした場合の斜視図である。
【図７】変形例にかかるゴミ集積用具を閉状態とした場合の斜視図である。
【考案を実施するための形態】
【０００９】
ここで、本考案の態様の一つとして、前記支持部は、脚材間の連結箇所の少なくとも一部において脚材を回転可能に連結することにより、開状態と閉状態との間で変形可能であるとしてもよい。
また、本考案の態様の一つとして、前記網の縁で区画される領域の面積は、前記開状態となった支持部の開口面積よりも大きいとしてもよい。
また、本考案の態様の一つとして、前記複数の脚材の少なくとも一部は、伸縮可能であるとしてもよい。
また、本考案の態様の一つとして、前記複数の脚材の少なくとも一部は、下端部にキャスタを備えるとしてもよい。
【００１０】
以下、図面を参照しながら本考案の実施形態を更に説明する。
図１は、一例にかかるゴミ集積用具１０を斜視図により示している。ゴミ集積用具１０は、概略、複数の脚材が連結されてなり自立可能な支持部２０と、複数箇所が複数の脚材に直接あるいは間接的に連結されて全体が空中に支持される網３０と、を備える。
支持部２０は、例えば、４本の主脚材２１、４本の連結脚材２２ａおよび４本の連結脚材２２ｂからなる。各主脚材２１は、ゴミ集積用具１０の４隅において設置面から略垂直に立ち、ゴミ集積用具１０全体を支持する。隣り合う２本の主脚材２１間は、交差する連結脚材２２ａおよび連結脚材２２ｂによって連結されている。
【００１１】
連結脚材２２ａの一端は、隣り合う２本の主脚材２１のうちの一方の上端側に連結し、当該連結脚材２２ａの他端は、当該隣り合う２本の主脚材２１のうちの他方の下端側に連結している。また、当該連結脚材２２ａと交差する連結脚材２２ｂの一端は、当該隣り合う２本の主脚材２１のうちの一方の下端側に連結し、当該連結脚材２２ｂの他端は、当該隣り合う２本の主脚材２１のうちの他方の上端側に連結している。
【００１２】
図１に例示するように、各主脚材２１の上端側には、それぞれ連結具２３ａが設けられている。各主脚材２１の上端側においては、１つの連結具２３ａを介して１本の主脚材２１、１本の連結脚材２２ａおよび１本の連結脚材２２ｂが連結されている。連結具２３ａは、例えば、金属製の板を略直角に折り曲げることにより形成された部材であり、折り曲げた部分の内側近傍において、主脚材２１の上端側と（ビス止め、溶接等により）連結している。また、連結具２３ａは、互いに略垂直な２つの片の一方の外面において連結脚材２２ａと連結し、当該２つの片の他方の内面において連結脚材２２ｂと連結している。
【００１３】
図１に例示するように、各主脚材２１の下端側には、それぞれ連結具２３ｂが設けられている。各主脚材２１の下端側においては、１つの連結具２３ｂを介して１本の主脚材２１、１本の連結脚材２２ａおよび１本の連結脚材２２ｂが連結されている。連結具２３ｂも連結具２３ａと同様に、例えば、金属製の板を略直角に折り曲げることにより形成された部材であり、折り曲げた部分の内側近傍において、主脚材２１の下端側と（ビス止め、溶接等により）連結している。また、連結具２３ｂは、互いに略垂直な２つの片の一方の外面において連結脚材２２ａと連結し、当該２つの片の他方の内面において連結脚材２２ｂと連結している。
【００１４】
連結脚材２２ａと連結脚材２２ｂとが交差する箇所は、ビス２４で連結されており、かかる構成を採ることで、連結脚材２２ａと連結脚材２２ｂはそれらを連結するビス２４を軸にして互いに回転可能である。図１（および図２）では、簡略化のため１組の連結脚材２２ａおよび連結脚材２２ｂの交差箇所にのみビス２４を図示しているが、実際には、他の３組の連結脚材２２ａおよび連結脚材２２ｂの交差箇所も各々ビス２４で連結されている。また、連結脚材２２ａと連結具２３ａ、連結脚材２２ａと連結具２３ｂ、連結脚材２２ｂと連結具２３ａ、連結脚材２２ｂと連結具２３ｂ、それぞれの連結箇所は、ビス２５で連結されている。その結果、連結脚材２２ａは、両端部のビス２５を軸にして両側の主脚材２１に対して回転可能であり、同様に、連結脚材２２ｂは、両端部のビス２５を軸にして両側の主脚材２１に対して回転可能である。ただし図１（および図２）では、簡略化のため、ビス２５も１箇所にのみ図示しており他の箇所においては図示を省略している。
【００１５】
網３０は、例えば、広げたときに外周が略矩形となる形状を有しており、その４隅近傍が、支持部２０の上端側（例えば、各主脚材２１の上端付近や各連結具２３ａ）に連結されている。網３０と支持部２０とを連結する態様は特に限られず、例えば、紐状の素材で、網３０と支持部２０とが複数箇所で結束されていても良いし、網３０の複数箇所に設けられた鉤状の部材を支持部２０の複数箇所に引っ掛けるようにして網３０を支持部２０に係止してもよい。網３０は、その上にユーザがゴミを載せるための物であるため、網３０および載せられたゴミが落下しない程度の強さで支持部２０に連結されていればよい。また、網３０は、支持部２０に対して着脱可能な状態で連結されるとしてもよい。
【００１６】
図２は、図１に示したゴミ集積用具１０を閉じた状態（閉状態あるいは不使用状態とも言う。）について、斜視図により示している。言い換えると、図１は、ゴミ集積用具１０を開いた状態（開状態あるいは使用状態とも言う。）について示している。なお図２では、簡略化のため、支持部２０の一部構成および網３０の図示を省略している。
【００１７】
図３は、主脚材２１の一部を示している。図１，２に示した例では、主脚材２１は長さを伸縮可能な構成を採っており、詳しくは図３に示すように、１本の主脚材２１は、第１材２１ａおよび第２材２１ｂを有する。第１材２１ａ、第２材２１ｂはいずれも円筒状であり、一方（例えば第１材２１ａ）の外周は他方（例えば第２材２１ｂ）の内周よりも狭く形成されている。そのため、一方が他方の内部を高さ方向（第１材２１ａおよび第２材２１ｂの長さ方向）に沿って移動可能であり、結果、主脚材２１は長さを伸縮可能な構成となっている。
【００１８】
また、図３に例示するように、一部または全部の主脚材２１の下端（設置面と接触する部分）には、ゴム等の緩衝材により構成された保護部材（ゴム足）２１ｃが取り付けられても良い。保護部材２１ｃを設けることで、支持部２０を衝撃から保護し、また、ゴミ集積用具１０の転倒の危険性をある程度防止することができる。
あるいは、図４に例示するように、一部または全部の主脚材２１の下端には、キャスタ（車輪）２１ｄが取り付けられても良い。キャスタ２１ｄを取り付けることにより、ゴミ集積用具１０の移動や持ち運びが容易となる。むろん、一部の主脚材２１に保護部材２１ｃを取り付け、他の一部の主脚材２１にキャスタ２１ｄを取り付けても良い。
【００１９】
このような構成によれば、ユーザは、手動で４本の主脚材２１間の距離を広げたり接近させたりすることにより、ゴミ集積用具１０を極めて容易に開状態（図１）と閉状態（図２）とで変形させることが可能である。つまり、ゴミ集積用具１０を開状態として集合住宅や地域指定のゴミ集積所に置くだけで設置が完了し、広げられた状態で空中に支持された網３０の上に各ユーザがゴミを載せることができる。各ユーザは、従来のようにゴミを囲う或いは覆うための網をめくる動作や、出したゴミの上に網を被せる等の動作を行なう必要が無いため、ゴミ出しに要する労力が著しく軽減される。また、ゴミの回収業者も、網３０に載せられたゴミを取り上げるだけでゴミを回収することができるため、回収作業が非常に楽になり、地域全体に対するゴミの回収作業の効率が飛躍的に向上する。特に、従来のように地面に置かれた状態で網で囲われた或いは覆われたゴミを回収する作業と比較して、腰を屈めて網をめくるという作業が不要となるため、回収作業が非常に楽である。
【００２０】
また、ゴミ集積用具１０によれば、容易に折り畳んで（閉状態として）持ち運ぶことができるため、使用しない時間帯においては、閉状態となりコンパクトとなったゴミ集積用具１０を任意の場所に保管しておくことができる。なお、開状態（図１）においては、閉状態（図２）と比較して、各主脚材２１は短くなっている。
【００２１】
また、ゴミは空中に支持された網３０の上に置かれるため、カラス等の鳥獣は、ゴミ集積用具１０の設置面からは網３０が邪魔となってゴミを荒らすことができない。従って、カラス等は、網３０あるいは網３０に載ったゴミの上に乗った状態でゴミに接近する必要があるが、いずれも足場が不安定な状態である。カラス等の習性上、このように足場が不安定な状態を嫌うため、結果的にカラス等は網３０に載せられたゴミを漁ることを諦める。従って、ゴミがカラス等に荒らされて集積所が汚れる、ゴミの散乱のため回収作業が困難化する、といった問題も解消される。
【００２２】
なお、図１の例から判るように、網３０は、開状態においても張りつめた状態で支持されるのではなく、支持部２０に連結された部分以外はある程度下垂した状態で支持される。より具体的には、広げた状態の網３０の縁で区画される領域の面積は、開状態となった支持部２０を真上から見たときの支持部２０の開口面積（主脚材２１によって区画される面積）よりも大きい。これにより、網３０は空中である程度弛緩した状態で支持され、よりカラス等にとっての足場としての不安定さが増し、結果的にゴミ漁りの対象として忌避され易い。
【００２３】
上記では、主脚材２１と連結脚材２２ａ，２２ｂとは、連結具２３ａ，２３ｂを介して連結する構成としたが、必ずしも連結具２３ａ，２３ｂを介する必要はない。つまり、連結脚材２２ａ，２２ｂの各端部は、連結先の主脚材２１に対して直接に連結される構成であってもよい。また上記では、ゴミ集積用具１０は開状態‐閉状態間の変形に際して主脚材２１が伸縮する構成としたが、必ずしも主脚材２１が伸縮する必要はない。つまり、連結脚材２２ａ，２２ｂの各端部が、連結先の主脚材２１の長さ方向に沿って移動可能な状態で連結される構成であってもよい。
【００２４】
図５は、網３０と主脚材２１との連結態様の一例を簡易的に示す図である。図５では、開状態とした支持部２０を真上から見た場合における網３０と主脚材２１との関係を例示しており、他の構成については適宜図示を省略している。図５の例では、網３０の４隅近傍は、４隅の支持部２０（主脚材２１）の上端側に直接連結されているのではなく、紐状あるいは鎖状等の連結帯３１を介して間接的に連結されている。そのため、支持部２０によって空中に支持された網３０は揺れ易く、ゴミを荒らそうとするカラス等にとっての足場としてより不安定なものとなる。むろん図５の構成を採用する場合であっても、広げた状態の網３０の縁で区画される領域の面積は、開状態となった支持部２０を真上から見たときの支持部２０の開口面積よりも大きいとしてもよい。
【００２５】
図６は、他の例にかかるゴミ集積用具４０を斜視図により示している。ゴミ集積用具４０も、概略、複数の脚材が連結されてなり自立可能な支持部５０と、複数箇所が複数の脚材に直接あるいは間接的に連結されて全体が空中に支持される網６０と、を備える。具体的には、支持部５０は、脚材５１，５２を有する。脚材５１，５２はいずれも枠状の部材である。脚材５１は、上辺５１ａ、下辺５１ｂ、および、上辺５１ａと下辺５１ｂそれぞれの両端間を接続する接続辺５１ｃ，５１ｄを有する。同様に、脚材５２は、上辺５２ａ、下辺５２ｂ、および、上辺５２ａと下辺５２ｂそれぞれの両端間を接続する接続辺５２ｃ，５２ｄを有する。
【００２６】
下辺５１ｂおよび下辺５２ｂは設置面に略接する。また、上辺５１ａおよび上辺５２ａに対しては、網６０が直接あるいは間接的に連結されている。例えば、網６０は、広げたときに外周が略矩形となる形状を有しており、４辺のうち対向する２辺が上辺５１ａ、上辺５２ａに連結されている。網６０と支持部５０とを連結する態様も特に限られず、網６０および網６０に載せられたゴミが落下しない程度の強さで網６０が支持部５０に連結されていればよい。網６０は、支持部５０に対して着脱可能であってもよい。脚材５１，５２は、接続辺５１ｃと接続辺５２ｃが交差し、かつ、接続辺５１ｄと接続辺５２ｄが交差しており、これら交差箇所がビス５３により連結されている。その結果、脚材５１，５２は、ビス５３を軸として互いに回転可能となっている。
【００２７】
図７は、図６に示したゴミ集積用具４０の閉状態ついて斜視図により示している。言い換えると、図６は、ゴミ集積用具４０の開状態について示している。なお図７では、簡略化のため、網６０の図示を省略している。このようなゴミ集積用具４０の構成においても、ユーザは、手動で脚材５１，５２間の距離を広げたり接近させたりすることにより、極めて容易に開状態（図６）と閉状態（図７）とで変形させることが可能である。つまり、ゴミ集積用具４０もゴミ集積用具１０と同様に、広げられた状態で空中に支持された網６０の上に各ユーザがゴミを載せることができ、また、ゴミの回収業者は、網６０に載せられたゴミを取り上げるだけでゴミを回収することができ、ゴミ集積用具１０と同様の優れた効果を発揮する。
【００２８】
なお、本考案にかかるゴミ集積用具は、これまで図示した形状に限定されるものではなく、例えば、支持部を構成する脚材の本数も限られない。例えば、支持部は３本足、あるいは５本足以上で自立する構成であってもよい。また、ゴミ集積用具は、その支持部が折畳み不能であってもよい。また、支持部を構成するための素材は特に限定されない。支持部は、例えば、アルミニウムやステンレス等の金属により構成される。
【００２９】
また、本考案における「網」とは、一般的に網（ネット）と認識され得るあらゆる部材を使用可能であり、網を構成する素材も、繊維（化学繊維を含む）、プラスチック、金属等、様々な素材を用いることが可能である。また、本考案における網は、伸縮性を有し、ゴミが載せられたときにある程度伸びる素材であってもよい。伸縮性を有することで、網は、カラス等にとってより不安定な足場となる。また、本考案における網の形状（外周の形状）は、上述したよう略矩形以外にも、円形、楕円、四角形以外の多角形等、様々な形状を採用可能である。また本考案における網は、少なくともゴミ集積用具が開状態であるときに、全体が空中に浮く（設置面に網の一部が接触しない）程度の高さに支持部によって支持される必要がある。さらに本考案における網は、例えば、カラス等の鳥獣が忌避するような臭いや味や刺激を発するような素材を含む物であってもよい。
【符号の説明】
【００３０】
１０…ゴミ集積用具、２０…支持部、２１…主脚材、２１ｄ…キャスタ、２２ａ，２２ｂ…連結脚材、３０…網、３１…連結帯、４０…ゴミ集積用具、５０…支持部、５１，５２…脚材、６０…網
【図１】
0003177654.tif 000003
【図２】
0003177654.tif 000004
【図３】
0003177654.tif 000005
【図４】
0003177654.tif 000006
【図５】
0003177654.tif 000007
【図６】
0003177654.tif 000008
【図７】
0003177654.tif 000009